(57)【要約】【課題】薄く撓み易い上に相当程度の重量がある超大判タイルを外装材として使用可能とする。【解決手段】タイル２と骨組み３とを接着させて複合パネルとしてユニット化し、骨組み３は、第１の突条２０と第２の突条２１と鉛直方向に出没して不陸調整を行う不陸調整用ボルト１９とを有し建物躯体側の下地金物２９に載置されて固定される上框４と、建物躯体に固定されず下段に配置される他のユニットの第１の突条２０と係合されて建物躯体の壁に対して接近離反する動きが規制される係合凹部２２を有する下框５とを有し、上框４を下地金物２９の上に載置して第２の突条２１を下地金物２９に取り付けて吊り下げられる一方、下框５を下段のタイルの第１の突条２０と係合させることにより、タイルユニット１が前後に僅かに水平移動・揺動可能に取り付けられるように備えられている。【選択図】図３
2018009414.tif 000002
【特許請求の範囲】
【請求項１】
タイルと前記タイルを裏面側から支える骨組みとを備え、
前記タイルと前記骨組みとは前記骨組みの前記タイルと対向する面に接着剤を塗布して前記タイルを接着させることにより複合パネルとしてユニット化され、
前記骨組みは、第１の突条と第２の突条と鉛直方向に出没して不陸調整を行う不陸調整用ボルトとを有し建物躯体側の下地金物に載置されて固定される上框と、前記建物躯体に固定されず下段に配置される他のユニットの前記第１の突条と係合されて前記建物躯体の壁に対して接近離反する動きが規制される係合凹部を有する下框とを有し、
前記上框を前記下地金物の上に載置して前記第２の突条を前記下地金物に取り付けて吊り下げられる一方、前記下框を下段のタイルの前記第１の突条と係合させることにより、前記タイルユニットが前後に僅かに水平移動・揺動可能に取り付けられる
ことを特徴とするタイルユニット。
【請求項２】
前記タイルユニットの前記上框の両端の少なくともいずれか一方に、少なくとも上の段に配置される他の前記タイルユニットの前方に配置されて前記他のタイルユニットの前記タイルの剥落を防ぐタイル剥落防止ブロックを備える請求項１記載のタイルユニット。
【請求項３】
前記骨組みの横連結方向側の縦框に縦目地カバーを備え、該縦目地カバーの自由端を横に配置される他のタイルユニットの縦框に重なるように配置してなる請求項１または２記載のタイルユニット。
【請求項４】
請求項１記載のタイルユニットを準備する工程と、
建物駆躰の壁に高さレベル及出入り方向への位置出しが成された下地金物を固定する工程と、
前記タイルユニットのタイルの前記上框部分を前記下地金物に載置して吊り下げると共に、前記下框部分を下の段の他の前記タイルユニットの前記第１の突条あるいは前記建物躯体の壁面から一定の位置に保持される係止プレートに嵌合させると共に、必要に応じて不陸調整してから前記上框を前記下地金物に固定する工程とを備え、
前記タイルユニットを下から上にさらには横方向に順次展開しながら前記建物躯体に前記下地金物を介して固定し外壁を構築することを特徴とするタイル外壁面施工法。
【請求項５】
前記下地金物は、前記建物駆躰の壁に直接固定される一次ブラケットと、該一次ブラケットの上に搭載されて前記タイルユニットの出入り方向へ調整移動可能に固定される二次ブラケットとから成り、前記一次ブラケットで高さレベルが出され、前記二次ブラケットで出入り方向への位置決めが設定されるものである請求項４記載のタイル外壁面施工法。
【請求項６】
前記タイルユニットの四隅の他の前記タイルユニットとの間の目地部分に、前記タイルユニットの前方に配置されて上の段の前記タイルユニットの前記タイルの剥落を防ぐタイル剥落防止ブロックを配置することを特徴とする請求項４または５記載のタイル外壁面施工法。
【請求項７】
横に隣り合う前記タイルユニットの間には縦目地カバーが備えられるものであって、前記縦目地カバーは、先に前記建物躯体の壁に取り付けられるタイルユニットの他の前記タイルユニットが連結される側の縦框に備えられ、該縦目地カバーを後から前記建物躯体の壁に取り付けられる他のタイルユニットの縦框に重なるように配置することを特徴とする請求項４から６のいずれか１つに記載のタイル外壁面工法。
【発明の詳細な説明】
【技術分野】
【０００１】
本発明は、乾式施工用タイルユニットに関する。さらに詳述すると、本発明は、外装用としての使用に好適な超大判タイルユニットに関するものである。
【背景技術】
【０００２】
近年、建物の外装材としてのタイルの使用が増えている。例えば、木造建物の外装用タイルとしては、主に数ｃｍ〜大きくても２０ｃｍ前後の比較的小型なタイルが使用されており、モルタルあるいは接着剤などで下地に直に接着される（特許文献１）。また、大判タイルと称される、コンクリート建造物などに主に使用される６０ｃｍ角程度までのタイルもある（JIS A 5209「陶磁器質タイル」）。このタイルは、長さ及び幅が５０〜６００ｍｍ、厚さは５〜２５ｍｍが基本的な寸法であり、タイルの裏面にあり溝を切削してからグリップ金具を取り付け、このグリップ金具を利用して壁面に固定されたレールなどに引っかけて固定する乾式施工によるものが知られている（特許文献２）。
【先行技術文献】
【特許文献】
【０００３】
【特許文献１】特開２００６−１４４２９８号公報
【特許文献２】特開２００５−００２７１３号公報
【発明の概要】
【発明が解決しようとする課題】
【０００４】
一方、近年、大判タイルよりも遙かに大きなタイル、例えば長辺３ｍ、短辺１．５ｍ程度にも及び且つ厚みが５，６ｍｍ（場合によっては３ｍｍ程度）〜１０ｍｍ程度の薄板状の超大型のタイル（本明細書では、超大判タイルと呼ぶ）が海外では開発されている。この超大判タイルは、接着剤だけで貼り付けられることによって、主に床材や内壁材あるいは天板材などとして用いられている。
【０００５】
しかしながら、超大判タイルは、軽量化のために薄く成形されているため、強度低下を招くあり溝をタイルの裏面に研削してグリップ金具で把持する特許文献２に記載の工法は適用が難しい。
【０００６】
また、タイル厚みを極力薄くして軽量化に努めても、依然として数十ｋｇから１００ｋｇ程度の重量があるため、モルタルや接着剤だけで壁面に取り付けるだけでは、タイルそのものの強度と外壁構造物としての支持力や耐久性に不安が残り、そのままでは外壁材としての使用が危惧される。
【０００７】
しかも、超大判タイルは、５〜１０ｍｍ程度の薄さでぺらぺらして撓み易い上に数十ｋｇから１００ｋｇ程度の重量があるため、運搬時や施工の際などに取り扱い難いという問題を有している。特に、不陸調整が難しいという問題を有する。さらに、外壁材としての用途において必要とされる、万が一のための脱落防止対策も講じ難いという問題を伴う。
【０００８】
本発明は、外装材としての使用を可能とする超大判タイルユニットを提供することを目的とする。
【課題を解決するための手段】
【０００９】
かかる目的を達成するために請求項１記載のタイルユニットは、タイルとタイルを裏面側から支える骨組みとを備え、タイルと骨組みとは骨組みのタイルと対向する面に接着剤を塗布してタイルを接着させることにより複合パネルとしてユニット化され、骨組みは、第１の突条と第２の突条と鉛直方向に出没して不陸調整を行う不陸調整用ボルトとを有し建物躯体側の下地金物に載置されて固定される上框と、建物躯体に固定されず下段に配置される他のユニットの第１の突条と係合されて建物躯体の壁に対して接近離反する動きが規制される係合凹部を有する下框とを有し、上框を下地金物の上に載置して第２の突条を下地金物に取り付けて吊り下げられる一方、下框を下段のタイルの第１の突条と係合させることにより、タイルユニットが前後に僅かに水平移動・揺動可能に取り付けられるものである。
【００１０】
また、本発明にかかるタイルユニットは、上框の両端の少なくともいずれか一方に、少なくとも上の段に配置される他のタイルユニットの前方に配置されて他のタイルユニットのタイルの剥落を防ぐタイル剥落防止ブロックを備えることが好ましい。
【００１１】
また、本発明にかかるタイルユニットは、骨組みの横連結方向側の縦框に縦目地カバーを備え、該縦目地カバーの自由端を横に配置される他のタイルユニットの縦框に重なるように配置してなることが好ましい。
【００１２】
また、本発明にかかるタイル外壁面施工法は、請求項１記載のタイルユニットを準備する工程と、建物駆躰の壁に高さレベル及出入り方向への位置出しが成された下地金物を固定する工程と、タイルユニットのタイルの上框部分を下地金物に載置して吊り下げると共に、下框部分を下の段の他のタイルユニットの第１の突条あるいは建物躯体の壁面から一定の位置に保持される係止プレートに嵌合させると共に、必要に応じて不陸調整してから上框を下地金物に固定する工程とを備え、タイルユニットを下から上にさらには横方向に順次展開しながら建物躯体に下地金物を介して固定し外壁を構築することを特徴とするものである。
【００１３】
また、本発明にかかるタイル外壁面施工法において、下地金物は、建物駆躰の壁に直接固定される一次ブラケットと、該一次ブラケットの上に搭載されてタイルユニットの出入り方向へ調整移動可能に固定される二次ブラケットとから成り、一次ブラケットで高さレベルが出され、二次ブラケットで出入り方向への位置決めが設定されるものであることが好ましい。
【００１４】
また、本発明にかかるタイル外壁面施工法は、タイルユニットの四隅の他のタイルユニットとの間の目地部分に、タイルユニットの前方に配置されて上の段のタイルユニットのタイルの剥落を防ぐタイル剥落防止ブロックを配置することが好ましい。
【００１５】
また、本発明にかかるタイル外壁面施工法は、横に隣り合うタイルユニットの間には縦目地カバーが備えられるものであって、縦目地カバーは、先に建物躯体の壁に取り付けられるタイルユニットの他のタイルユニットが連結される側の縦框に備えられ、該縦目地カバーを後から建物躯体の壁に取り付けられる他のタイルユニットの縦框に重なるように配置することが好ましい。
【発明の効果】
【００１６】
請求項１記載の超大判タイルユニットでは、上框を下地金物に載せて固定する一方、下框側をフリーにして吊り下げているので、地震発生時に壁面にかかる応力や変形などに対してフリーとなる。このため、タイルが破損して脱落するようなことがほとんど考えられないか、あるいは極々少ないものとなる。しかも、重心が支点よりも下にあるため、落下し難く安定的に支持される。また、例えば地震時の強い横揺れが働いたときにも、タイルユニットが揺動せずに建物躯体と共に全体的に左右に水平移動するので、タイル同士の衝突もなければ、タイルに過大な歪みや応力や剪断力が作用することが少ないので、タイルが落下したり、損壊して落下することを防ぐことができる。
【００１７】
また、横揺れ時にもタイルユニットが揺動せずに建物躯体と共に全体的に左右に水平移動するため、目地の間隔が変動せず、一定に保たれるため、目地を必要以上に広く採る必要がなく、細くすることができる。このため、タイルの並びがすっきりしたデザインにすることができる。
【００１８】
また、薄く撓み易い超大判タイルが骨組みで補強されるため、取り扱い易く施工し易い。また、重量があっても、上框が下地金物に載せられて吊り下げられた状態で不陸調整用ボルトの押し出し量を制御することができるので、不陸調整が容易に実施できる。
【図面の簡単な説明】
【００１９】
【図１】本発明の超大判タイルユニットの一実施形態によって外壁を構築した一例を部分的に示す正面図である。
【図２】同外壁の縦断面図である。
【図３】上の段のタイルユニットの下框と下の段のタイルユニットの上框との関係を示す実施形態の一例を示す縦断面図である。
【図４】最も上段のタイルユニットの上框部分の構造の一実施形態を示す縦断面図である。
【図５】最も下段のタイルユニットの下框部分の構造の一実施形態を示す縦断面図である。
【図６】左右に展開されるタイルユニットの隣合う縦框部分の関係の一実施形態を示す横断面図である。
【図７】最も右端のタイルユニットの縦框部分の構造の一実施形態を示す横断面図である。
【図８】図６の隣合うタイルユニットとタイル剥落防止ブロックとの関係の一実施形態を示す正面図である。
【図９】図７の右端の上下に配置されるタイルユニットとタイル剥落防止ブロックとの関係の一実施形態を示す正面図である。
【図１０】本発明の超大判タイルユニットの他の実施形態を示す縦断面図である。
【図１１】本発明の超大判タイルユニットの一実施形態によって外壁を構築する場合の足場繋ぎの一実施形態を示す縦断面図である。
【図１２】図１１に示す足場繋ぎの平面図である。
【発明を実施するための形態】
【００２０】
以下、本発明の構成を図面に示す実施形態に基づいて詳細に説明する。
【００２１】
図１〜図９に、本発明の超大判タイルユニットの実施形態の一例を示す。本実施形態のタイルユニット１は、超大判タイル（以下、単にタイルと呼ぶ）２と、該タイル２を裏面側から支える骨組み３とで構成されている。本実施形態のタイル２は、例えば横１．５ｍ×縦３ｍほどの超大判タイルであって、軽量化のために例えば６ｍｍ程度の薄さの厚みに成形されている。
【００２２】
骨組み３は軽量で尚且つ強度に優れることが好ましく、例えばアルミ押出型材の使用が好ましい。本実施形態の場合、例えば図１に示すように、骨組み３は、上框４と下框５とこれらを連結する左右の縦框６並びに縦組子７と横組子８とで成る格子を組み合わせることによって田の字形に構成されている。ここで、骨組み３を構成する部材のうち、周縁に配置される上框４、下框５及び両縦框６の少なくとも４部材については、超大判タイル２のベース色と共色の粉体塗装で焼き付け塗装を行うことが好ましい。尚、アルミ型材同士の接合は一般には例えばビスホールと呼ばれるＣ形の畝を利用してタッピングビスをねじ込むことにより行われ、場所によってはアングルを介在させてタッピングビスがねじ込まれることによって行われる。
【００２３】
骨組み３の各框４，５，６並びに格子（縦組子７と横組子８）のタイル２の裏面と対する面は、タイル２に対し接着される面（以下、タイル接着面９と呼ぶ）であり、接着剤例えば弾性接着剤１０の係着力を増すために表面が荒らされた粗面とされている。また、タイル接着面９には、裏面側に向けて貫通する孔１１が少なくとも１つ、好ましくは複数開けられ、余分な弾性接着剤１０が裏面側に漏れ出すように設けられている。
【００２４】
また、タイル接着面９の周縁には、例えば図３に示すように、ゴムスペーサ１２が配置されると共にそのさらに内側にはバッカー材（バックアップ材とも呼ばれる）１３が配置されている。ゴムスペーサ１２として硬めのゴム材料例えばＥＰＤＭなどが採用されている。さらに、バッカー材１３としては例えば発泡ポリスチレンや発泡ポリエチレンなどが採用されている。ゴムスペーサ１２の配置により、骨組み３を構成する金物に直にタイル２が接触することを防ぐことができる。そして、バッカー材１３で囲われた内側の空間に弾性接着剤１０が充填される。弾性接着剤１０は、タイル接着面９に開けられた穴１１を通じてタイル接着面９の反対側の面に漏れ出して裏面に沿って径方向外側へ膨らみ、アンカーとして機能する。したがって、接着剤１０の剥がれ止めとなる。これによって、弾性接着材１０のタイル接着面９に対する係着力が強化される。しかも、穴１１を通じて余分な弾性接着剤１０が裏面側に漏れ出ることで、タイル裏面側においてバッカー材１３及びゴムスペーサ１２を乗り越えて弾性接着剤１０が骨組み３の外側にはみ出るのを防ぐことができる。これにより、タイルユニット１の外観を損ねることがない。尚、ゴムスペーサ１２並びにバッカー材１３は、骨組み３の所定の位置に予め貼り付けられている。バッカー材１３は弾性接着剤１０を閉じ込めるようにタイル接着面９の全周に敷設され、タイル２とタイル接着面９とが弾性接着剤１０の表面と裏面との二面でのみ接着されるように設けられている。他方、ゴムスペーサ１２は、必ずしもバッカー材１３の外周の全周面に設けられることはなく、場合によっては断続的に配置するようにしても良い。
【００２５】
また、タイル２の裏面の骨組み３によってバックアップされていない部分には、飛散防止膜１４が貼り付けられている。飛散防止膜１４としては、例えば、飛散防止フィルム（あるいはシート）やガラス繊維のメッシュであり、接着剤で貼ることが一例として挙げられる。
【００２６】
タイルユニット１は、例えば図３に示すように、骨組み３の上框４の部分が建物躯体の壁２８に取り付けられた下地金物２９に被せられるように載せられてから固定される、吊り下げ構造とされている。例えば、下地金物２９に被せられる上框４は、下地金物２９の内方への潜り込みを可能とするため背面側が開放された概略ハット形の型材が採用され、開口部（切り欠かれた部分）が壁２８の方を向くように配置される。そして、下地金物２９に被せられる上框４の上辺４ａには、不陸調整用ボルト１９が備えられると共に、上段に配置されるタイルユニット１の下框５の係止凹部２２と嵌合して出入り方向（壁２８に対して接近離反する方向）にのみ係止される第１の突条２０と下地金物２９と固定されるための第２の突条２１とがタイル接着面９と平行に設けられている。
【００２７】
第１の突条２０は、外側即ち上辺４ａのタイル接着面９寄りに配置され、上段に配置されるタイルユニット１の下框５の係止凹部（雌部材）２２と嵌合する係合凸部（雄部材）である。本実施形態の場合、第１の突条２０は、例えば、上框４と一体成形の垂直に起立するプレートから成る。第１の突条２０は、上段に配置される他のタイルユニット１の下框５の対向する係合凹部２２と嵌合して、上段に吊り下げられた他のタイルユニット１の下端が出入り方向へ所定幅以上に揺れるのを阻止するためのものであるが、同時に横目地カバーを兼ねる。つまり、上下のタイルユニット１の間の隙間・目地１６から奥が見えないように第１の突条２０によって塞がれている。
【００２８】
第２の突条２１は、上辺４ａの第１の突条２０よりも奥側（壁２８）の端部から垂直に起立するプレート状の縁から成り、二次ブラケット３１と連結されることによって、タイルユニット１を下地金物２９を介して壁２８に固定するためのものである。第２の突条２１は、二次ブラケット３１のＣ形チャンネル部３７に締結用ボルト２５の頭を側方から差し込み、ナット２６を締め付けることで二次ブラケット２１の任意の位置に固定するように設けられている。第２の突条２１は、締結用ボルト２５を貫通させる縦長な長孔２４を有し、二次ブラケット２１に対する締結用ボルト２５の位置が鉛直方向に調整可能に設けられている。
【００２９】
また、第１の突条２０と第２の突条２１には、図１1及び図１２に示すように、足場（図示省略）を壁２８に繋ぐ足場繋ぎ５０の足場繋ぎアーム５７を貫通させるための孔５１，５２が設けられている。孔５１，５２は、本実施例の場合、例えばタイル２の下端縁に沿って幅方向に横長な細長い窓（スリット）から成り、上段のタイルユニット１と下段のタイルユニット１との間の隙間である目地１６の位置に設けられている。足場繋ぎ５０は、例えば１８００ｍｍあるいは３６００ｍｍの間隔で設けられることが一般には要求される。したがって、１つのタイルユニット１の骨組み３の上框４には、少なくとも１箇所、好ましくは複数箇所例えば２箇所に足場繋ぎアーム５７を通過させる細長い窓５１，５２が設けられる。ここで、足場繋ぎ５０は、二次ブラケット３１が存在しない所を選んで取り付けることが好ましいが、二次ブラケット３１が配置された位置であっても、第１の突条２０の窓５２と第２の突条２１の窓５１と対応する高さ位置に足場繋ぎアーム５７を通過させる細長い窓（図示省略）を二次ブラケット３１に設けるのであれば、足場繋ぎ５０を設置することが可能である。この場合には、二次ブラケット３１と第１の突条２０及び第２の突条２１を貫通して足場繋ぎアーム５７がタイル２の外に突出し、図示していない足場が連結される。
【００３０】
上框４の上辺４ａには、当該上框４の内方へ向けて上下方向（鉛直方向）に出没可能な不陸調整用ボルト１９が備えられている。例えば、本実施形態では、上辺４ａの第１の突条２０と第２の突条２１との間に不陸調整用ボルト１９を貫通させる透孔と、上辺４ａの裏面側で不陸調整用ボルト１９の回転を直進運動に変換するナット２７を回転不能に収容するためのＣ形チャンネル部２３とが設けられている。そして、Ｃ形チャンネル部２３が形成する溝状空間にナット２７を差し込んだ状態で不陸調整用ボルト１９を上辺４ａの上からねじ込むことで、不陸調整用ボルト１９を任意の位置で上下方向に出没可能に備える。これにより、左右の不陸調整用ボルト１９を回転させることでタイルユニット１の水平に対する傾き並びに高さを微調整することができる。尚、不陸調整用ボルト１９は、図示の如きボルトとナットの組み合わせに限られず、上框４の上辺４ａに直接雌ねじを切って、それに螺合させる押しボルトによって構成しても良い。
【００３１】
他方、下框５は、本実施形態の場合、図３あるいは図５に示すように、下段に配置される他のタイルユニット１の上框４の不陸調整用ボルト１９、第２の突条２１並びに二次ブラケット３１などとの干渉を回避するため、背面の少なくとも下部並びに底辺が切り欠かれた逆Ｌ形の型材で構成されている。しかしながら、この断面形状に特に限定されるものではない。また、下框５には、建物躯体の壁面から一定の位置に保持される係止部材に嵌合してタイルユニット１の下部即ち下框５の部分が出入り方向に一定範囲内でのみ揺動し且つ水平方向並びに上下（鉛直）方向に移動し得るように設けられる。例えば、下段に配置される他のタイルユニット１の第１の突条２０あるいは一次ブラケット３０に固定される係止プレート３９と係合してタイルユニット１の出入り方向への移動を規制する係合凹部２２が下端に備えられている。係合凹部２２は、例えば、本実施形態の場合、タイルユニット１を建物躯体の壁２８に沿って配置したときに鉛直方向下向きに開口する箱形を成し、下段に配置される他のタイルユニット１の第１の突条２０あるいは係止プレート３９に対し奥側で当接する係止片２２ａと、第１の突条２０あるいは係止プレート３９に対し手前側で当接する係止片２２ｂとを有し、それらの間の一定幅内で相対的に出入り方向に移動可能に収容される。
【００３２】
また、下框５には、タイル２側に向けて突出しタイル２の下端に当接するタイル受け４８が備えられることが好ましい。このタイル受け４８は、ユニット組み立て時におけるタイル２と骨組み３との位置決めを容易にするものであるが、仮に接着剤１０の経年によるクリープ破壊（あるいはずれ）が起きたとしても、タイル２を受支えてずり落ちを防ぐ支持部材としても機能するものでもある。タイル受け４８は、下框５を構成する部材例えばアルミ押出型材と一体に成形しても良いし、場合によっては別体にして独立した部品としても良い。尚、タイル受け４８を下框５と別部品で構成する場合には、下框５のタイル接着面９の側の面における凹凸が不均一にならないので、下框５のアルミ押出型材の成型を容易にすることができる。他方、下框５とタイル受け４８とをアルミ押出型材で一体成形する場合には、フランジ状のタイル受け４８が下框５の全長（幅方向全域）にわたって形成できるので、タイル２を受支えてずり落ちを防ぐ支持部材としての機能が高まる。勿論、アルミ押出型材で一体成形する場合においても、成型後にフランジ状のタイル受け４８の一部切り欠いて少なくとも１箇所、好ましくは複数箇所例えば幅方向の中央と左右の計３箇所にタイル受け４８を残すようにして軽量化を図るようにしても良い。
【００３３】
本実施形態のタイル受け４８は、例えば、５０ｍｍ〜１００ｍｍ程度の幅の鋼板を交互に９０°折り曲げることによって、タイル２の下端面と当接するフランジ部４８ａと、タイル接着面９と平行な鉛直部４８ｄと、フランジ部４８ａと平行な引っ掛け部４８ｂ及び鉛直部４８ｄと平行なアンカー部４８ｃとを有する略Ｚ形の金具に形成された、アルミ押出型材から成る下框５とは別体の独立した部品として構成されている。このタイル受け４８は、図１０に示すように、下框５のタイル接着面９に明けられた細長い窓（スリット）４９にアンカー部４８ｃと引っ掛け部４８ｂとを差し込んでから鉛直部４８ｄをタイル接着面９に宛がうことで窓４９に引っ掛けられ、その上からゴムスペーサ１２とバッカー材１３とが配置されて弾性接着剤１０が塗布されることによって下框５に仮固定される。そして、上から貼り付けられるタイル２の自重によってタイル受け４８は下框５に押しつけられながら共に固着される。尚、タイル受け４８は、少なくとも１箇所、好ましくは複数箇所に備えられる。例えば幅１．５ｍ×縦３ｍの本実施形態の超大判タイルの場合、タイル２の幅方向の少なくとも中央と左右両端の計３箇所に設けられることが好ましい。
【００３４】
下框５とタイル受け４８とは、タイルユニット１の組み立ての際、下框５の細長い窓４９に一端のアンカー部４８ｃを潜らせて下框５のタイル接着面９を構成する辺の裏面側に差し込みながら、引っ掛け部４８ｂを細長い窓４９の縁に載せると共に鉛直部４８ｄをタイル接着面９に宛がうようにして下框５に引っ掛けるようにセットされる。そして、弾性接着剤１０がタイル接着面９に塗布される際に、その上にタイル２を貼り付けることで、タイル２と骨組み３・下框５との間に係止部材４８が固着される。下框５にセットされたタイル受け４８は、一端のフランジ部４８ａが骨組み３・下框５の下端縁でタイル２側に向けて突出するので、タイル２を貼り付ける際の位置決め部材として利用することができる。これにより、ユニット組み立て時のタイル２と骨組み３との位置決めが簡単になる。尚、フランジ部４８ａは、本実施形態の場合、例えばタイル２の厚みの半分程度にまで達する長さに形成されているが、このことに特に限定されるものではなく、少なくともタイル２の下端縁に引っ掛かる程度の長さを有していれば足りるし、またタイル２の表面よりも外に突出する長さであることが望ましい。また、タイル受け４８の他端のアンカー部４８ｃは窓４９に充填される接着剤１０の中に埋没し接着剤１０の栓を蓋するように配置されるため、アンカー効果を発揮して下框５から容易に離脱することがないようにする。
【００３５】
縦框６は、本実施形態の場合、下框５と同じ断面形状の型材、即ち背面の少なくとも下部並びに底辺が切り欠かれた逆Ｌ形の型材が採用され、係合凹部２２並びに開口部（切り欠かれた部分）が外側方を向くように配置されて上框４と下框５とを連結する。このように配置することで、係合凹部２２がタイルユニット１の両側の縁に存在することとなることから、係合凹部２２を利用して各種カバー部材などの取り付けを可能とする。
【００３６】
中骨は、本実施形態の場合、矩形断面の角パイプで構成されている。例えば、縦組子７は通しの１本ものであり、２分割された横組子８との連結は突き合わせた状態でアングルを介してタッピングビスで連結されて十字形に組み合わされている。
【００３７】
上述の骨組み３とタイル２とから成るタイルユニット１を建物躯体に固定する下地金物２９は、特定の形状に限られるものではないが、本実施形態の場合、例えば建物躯体の壁２８に直接固定される一次ブラケット３０と、該一次ブラケット３０に対して出入り方向（建物躯体に対して接近離反させる方向）に摺動可能に搭載されて任意の位置で一次ブラケット３０に固定される二次ブラケット３１とを有する。
【００３８】
一次ブラケット３０は、例えば不等辺山形鋼（Ｌ形のアングル鋼）で構成され、長辺側をアンカー部材３５例えばケミカルアンカーなどで建物躯体の壁２８に固定される。一次ブラケット３０の長辺側にはアンカー部材３５の直径よりも大きな孔３４が設けられ、壁２８に対し上下左右方向にある程度移動可能に設けられている。これによって、一次ブラケット３０は、壁２８への取付時に上下方向に高さ調整が行われる。また、一次ブラケット３０の短辺側、即ち壁２８に対して垂直に突出する部分には、二次ブラケット３１と一次ブラケット３０とを締結するための締結用ボルト４６が貫通される長孔３８が出入り方向に長軸が配置されるようにあけられ、二次ブラケット３１の固定位置が出入り方向に調整可能に設けられている。即ち、二次ブラケット３１は、長孔３８の範囲内で出入り方向への調整移動が許容され、締結用ボルト４６によって任意の位置で固定される。尚、本実施形態の場合、一次ブラケット３０は、図６に示すように、二列のタイルユニット１の間に跨がるように配置されて共用されるように配慮されているが、これに特に限られるものではなく、各タイルユニット１の列毎に独立して配置するようにしても良い。
【００３９】
他方、二次ブラケット３１には、骨組み３の上框４を固定するための締結用ボルト２５を建物躯体の壁２８に沿って水平方向に移動可能に収容するＣ形チャンネル部３７が設けられている。このＣ形チャンネル部３７は、締結用ボルト２５の頭部をスライド可能に嵌め込むためのものであり、ボルト頭部の二面幅よりも僅かに大きく且つボルト頭部の対角線長さよりも短い長さに相当する幅を有し、嵌合されるボルト頭部の回転を阻止しながらも摺動可能とする。また、二次ブラケット３１は、十分な支持剛性を確保するため、十分に広い一次ブラケット３０に当接される座面を確保するための底部プレート３３を有する。そして、この底部プレート３３には、当該二次ブラケット３１を一次ブラケット３０に固定するための締結用ボルト４６の頭部を摺動可能でありながら回転不能に収めるＣ形チャンネル部３２が備えられている。このＣ形チャンネル部３２は壁３８に沿って水平方向に締結用ボルト４６の頭部を相対的にスライド可能にさせるものである。したがって、一次ブラケット３０の長孔３８を貫通した締結用ボルト４６の頭部を二次ブラケット３１の底部のＣ形チャンネル部３２に側方から差し込んで収容すれば、締結用ボルト４６のナット４７を回転させるだけで一次ブラケット３０の短辺に二次ブラケット３１を締結することが可能となる。尚、二次ブラケット３１はタイルユニット１の幅方向全域に通しで存在させる必要はなく、部分的に例えば少なくとも一次ブラケット３０が設けられているところに存在すれば足りる。また、二次ブラケット３１は、本実施形態の場合には二列のタイルユニット１の間に跨がるように配置されて共用されるように配慮されているが、これに特に限られるものではなく、各タイルユニット１の列毎に独立して配置するようにしても良い。
【００４０】
ここで、建物躯体の壁２８に取り付けた後のタイルユニット１のタイル２が破損することは自然状態では考え難いが、何らかの不測の事故や衝突などで仮に破損が起こる場合にはタイルの縁、特に角部分での欠損が考えられる。この場合にも、弾性接着剤１０で骨組み３に固着されているので落下することは防がれるが、接着剤の経年劣化などによる接着力の低下により剥落する可能性も全く無いとは言えない。勿論、定期検査においてそのような事故は未然に防がれるものであるが、より万全を尽くすため、本実施形態の場合、タイルユニット１の間の目地１６には、何らかの不測の事故などでタイルの縁が欠損して骨組み３から剥落しようとするのを防ぐタイル剥落防止ブロック１５が配置されている。このタイル剥落防止ブロック１５は、タイルユニット１の前方側に配置されて通常時にはタイル２と接触しておらず、タイル２が壁２８から離れる方向に揺れるときに当接して、それ以上の脱落方向への移動を抑えるように機能するものである。タイル剥落防止ブロック１５は、例えばタイル２の前方に向けて突出するように上框４の上辺４ａに固定された支持アーム１８に支持されることによって、タイル２の前方に配置されている。また、タイル２に欠損が起こるとすれば、タイル２の縁、特に四隅の角２ｃの部分において起こることが考えられる。そこで、本実施形態では、タイル２の縦目地と横目地とが交わるタイル２の四隅の角２ｃの部分にタイル剥落防止ブロック１５が備えられている。
【００４１】
尚、タイル２の四箇所の隅２ｃは、運搬中や骨組み３への貼り付け作業中などに欠け易いので、例えば図８に示すように、角落しされることが好ましい。そこで、４枚のタイルユニット１の隅２ｃが突き合わされる部分には、目隠しを兼ねるタイル剥落防止ブロック１５が配置され、タイル剥落防止ブロック１５に角落し部分が隠れるように配慮されることが好ましい。本実施形態の場合、タイル剥落防止ブロック１５は、図８に示すように、例えば円板から成り、支持アーム１８を上框４の上辺４ａにビス止めなどで取り付けることによって、タイルの前面との間に一定のギャップを開けて平行に配置される。タイル剥落防止ブロック１５の支持プレート１８は、左右に並ぶタイルユニット１のいずれか一方の上框４にビス止めなどで固定される。これにより、左右ならびに上下に隣合うタイルユニット１の独立性が相互に担保される。本実施形態では、タイルユニット１の四隅に配置されているが、これに特に限られるものではなく、例えば図９に示すように少なくとも２つのタイルユニット１の間に跨がるように配置されることもあれば、場合によっては１つのタイルユニット１にのみ掛かるように配置されることもある。図９に示すように、上下に隣合うタイルユニット１の間に跨がるように配置されるタイル剥落防止ブロック１５は、下段のタイルユニット１の上框４に取り付けられる。
【００４２】
左右に並べられるタイルユニット１の間には、例えば図６に示すように、縦目地カバー（目地隠し）１７が備えられる。縦目地カバー１７は、縦框６並びに上框４及び下框５の端にまで達する例えば帯状の樹脂プレートであり、その基部が例えば先に壁面に取り付けられるタイルユニット１の縦框６並びに上框４及び下框５の端部に予めビス止めされると共に、自由端側が後から隣に設置される他のタイルユニット１の縦框６並びに上框４及び下框５の端部に宛がわれるように当接することで、目地１６の端から端までが覆われる。例えば、本実施形態の場合、縦框６は下框４と同じ横断面形状のアルミ押出型材が用いられているので、下框４の下端に備えられている係合凹部２２に相当する部位が縦目地カバー１７の基部を取り付けるための端部あるいは縦目地カバー１７の自由端を宛がう端部としてそれぞれ利用されている。例えば、タイルユニット１の横連結方向が右から左に設定された本実施形態の場合には、縦目地カバー１７の基部は、先に壁２８に取り付けられるタイルユニット１の左側の縦框６の縁の係止凹部２２の奥側の係止片２２ａにビス止めによって固定される。そして、後から壁２８に取り付けられるタイルユニット１の右側の縦框６の係止凹部２２の奥側の係止片２２ａには縦目地カバー１７の自由端側が宛がわれる。これによって隣合うタイルユニット１の間に形成される隙間即ち目地１６が縦目地カバー１７で塞がれ、目地１６の部分から奥が見通すことができない構造とされる。因みに、上下に配置されるタイルユニット１の間の目地１６では、上段のタイルユニット１の下框５の係止凹部２２に嵌合される下段のタイルユニット１の第１の突条２０が嵌合されようにして配置されるので、この第１の突条２０が上下に配置されるタイルユニット１の間の目地１６を塞ぐ横目地カバー（目地隠し）として機能する。
【００４３】
また、最も上段に配置されるタイルユニット１の上縁部には、目隠しと雨水侵入防止対策を兼ねたカバーパネル４１を備えることが好ましい。例えば、図４に示すように、第１の突条２０と第２の突条２１とを利用して、カバーパネル４１が取り付けられる。カバーパネル４１は、前下りの傾斜面からなる天井面と垂直に落ちる前面とを備え、後端縁側が第２の突条２１から壁面（後方）側へ向けて張り出した支持プレート４２に例えばビス止めで固定される一方、前端縁側が第１の突条２０に例えばビス止めで固定されている。また、カバーパネル４１の前方には、タイル剥落防止ブロック１５がパネルの固定箇所を覆うように配置され、目隠しとされている。タイル剥落防止ブロック１５は、上框４の上辺４ａにビス止めされた支持プレート１８によって支持される。
【００４４】
他方、最も下段に配置されるタイルユニット１の下縁部にも、目隠しと雨水侵入防止対策を兼ねたカバーパネル４０を備えることが好ましい。例えば、図５に示すように、壁２８に固定されている一次ブラケット３０を利用して、下からの目隠しと雨水の浸入防止を兼ねたカバーパネル４０が取り付けられる。同時に、一次ブラケット３０には、下框５の係合凹部２２と係合する第１の突条２０に相当する係止プレート３９が備えられている。係止プレート３９は例えばＬ形を成し、一次ブラケット３０に基部が締結用ボルト４５で固定されて、垂直方向に起立する自由端が下框５の係合凹部２２に侵入する位置となるように配置されている。また、本実施形態では、係止プレート３９の自由端側には、例えばカバーパネル４０の一端がねじ止めされると共に、さらにこのカバーパネル４０を利用してタイル剥落防止ブロック１５の支持プレート１８が取り付けられている。
【００４５】
さらに、両端に配置されるタイルユニット１の外側の縦框６にも、目隠しと雨水侵入防止対策を兼ねたカバーパネル４３が支持プレート４４を介して取り付けられている。また、タイル剥落防止ブロック１５も取り付けられる。
【００４６】
以上のように構成されるタイルユニット１によれば、予め工場で超大判タイル２と骨組み３とが組み立てられて、補強された複合パネルとしてユニット化されてから建築現場に搬入することができる。したがって、タイルユニット１は極めて撓みの少ない複合パネルとして取り扱い易く、施工し易い。
【００４７】
例えば、上述のタイルユニット１は例えば次のようにして建物躯体の壁２８に簡単に取付けられる。まず、建物躯体の壁２８に予め取り付けられた下地金物（ファスナー）２９に、タイルユニット１の上框４の部分を被せるように載せてから第２の突条２１を下地金物２９に固定することによって吊り下げられる。
【００４８】
下地金物２９は、一次ブラケット３０が建物躯体の壁２８の所定位置にケミカルアンカーボルト３５などで固定される際に、高さレベル出し並びに水平レベル出しが実施される。ケミカルアンカーボルト３５に対し、一次ブラケット３０の孔３４は大きめに設定されているので、一次ブラケットの上下左右方向の位置並びに傾きを調整することで、一次ブラケットの高さ位置、水平レベルなどが求められる。
【００４９】
壁２８に固定された一次ブラケット３０の上に二次ブラケット３１を載せて出入り方向の位置調整を行って、壁２８から一定の距離を離したところに固定する。即ち、位置レベル出しが行われる。尚、最も下段の下地金物２９については、他の高さの一次ブラケット３０とは異なり、天地逆向きに取り付けられ、タイルユニット１の背面に一次ブラケット３０が完全に隠れるように配慮されて取付けられる。また、最下段の下地金物２９については、二次ブラケット３１に代えて、最下段のタイルユニット１の下框５の係合凹部２２と嵌合させて出入り方向への位置出しを行う係止プレート３９が取り付けられる。
【００５０】
次いで、タイルユニット１の上框４の部分を下地金物２９の上、具体的には例えば二次ブラケット３１の底部プレート３３の上に被せるように引っかけて載せる。同時に、下框５の係合凹部２２を最下段の下地金物２９に支持される係止プレート３９の先端の鉛直方向に延びる辺に嵌合させる。この状態で、二次ブラケット３１のＣ形チャンネル部３７に頭部を引っ掛けた締結用ボルト２５を用いて、上框４の第２の突条２１を二次ブラケット３１に仮固定する。そして、タイルユニット１の左右に離して配置された２箇所の不陸調整用ボルト１９を各々調整して高さ並びに水平出しを行う、いわゆる不陸調整を行う。これにより、タイルユニット１の出入り方向位置及び高さ位置出しと左右方向の傾き調整が行われる。同時に、タイルユニット１の目地１６の位置が決まるので、例えば壁２８に目地の位置を墨入れし、この目地の位置に合わせて、足場繋ぎ５０を取り付ける位置即ちアンカー打ちの位置を位置出しする。尚、タイルユニット１の仮固定は、落下事故を防ぐための措置として行われるのが好ましいが、場合によっては仮固定せずに上述の各種位置出しや目地の位置出しが行われることもある。また、下から２段目以降のタイルユニット１からは、上側のタイルユニット１の下框５の係合凹部２２が下側に配置されるタイルユニット１の上框４の第１の突条２０と嵌合される。
【００５１】
一般に、建物躯体には、足場を繋ぐための足場繋ぎが予め設けられている。したがって、一般的なタイル貼り工法では、既設の足場繋ぎを利用して足場を構築してタイル貼り作業に入る。このとき、足場繋ぎの場所を残して周囲の壁面にタイルを貼り、貼り終えた後に、足場をばらし、足場繋ぎを取り外してから、残された壁面（足場繋ぎが存在していた場所）にタイルを貼る工法が採られている。大判タイル貼り工法の場合には、タイル貼り作業が二度手間となり煩わしいという問題があるが、そのような手順を採らざるを得ないのが実情である。しかしながら、例えば長さ３０００ｍｍ×幅１５００ｍｍもの大きさがある超大判タイルの場合には、予め設けられた既存の足場繋ぎがタイルユニット１に隠れて使えなくなることもあることから、従来のタイル貼り工法を採ることはできない。
【００５２】
そこで、本実施形態にかかるタイル外壁面施工法では、既設の足場繋ぎが邪魔となる場合には、邪魔となる足場繋ぎを取り外してから、例えば上述したようにタイルの目地の位置に相当する位置に新たな足場繋ぎを設置して足場を繋ぐようにしている。例えば、図１１及び図１２に示すように、タイルユニット１の目地の位置に合わせて位置出しされた足場繋ぎ５０を取り付ける位置にアンカー５３を打ってファスナー金具５５をアンカーボルト５４で取り付ける。
【００５３】
次に、ファスナー金具５５に足場繋ぎアーム５７を締結ボルト５６で旋回可能に連結する。つまり、目地１６に合わせて先に足場繋ぎアーム５７を取り付ける。そして、上述のアンカー５３の打ち込み作業やファスナー金具５５の取付作業を容易に行うために、下地金物２９の上から一旦取り外されたタイルユニット１を、再度下地金物２９の上に載せて、必要に応じて位置出しや不陸調整などを行ってから二次ブラケット３１に上框４の第２の突条２１を締結する。次いで、足場繋ぎアーム５７を旋回させて第２の突条２１と第１の突条２０との細長い窓５１，５２を通してタイルユニット１の目地１６の間からタイル２の外に飛び出させる。そして、この足場繋ぎアーム５７の先端に足場繋ぎ金具５８を締結ボルト５９によって着脱可能に取り付け、該足場繋ぎ金具５８を介して図示していない足場を壁２８に連結する。図示していない足場と足場継ぎ金具５８とは、足場ボルト６０によって連結される。しかして、タイルユニット１の目地１６の部分において出没する足場繋ぎアーム５７を介して、図示していない足場と建物躯体の壁２８とが連結される。
【００５４】
尚、足場繋ぎ５０の設置に際しては、タイルユニット１を下地金物２９の上に載せてから目地の位置を求める上述の手順に必ずしもよるものではなく、一次ブラケット３０の取付位置を示す墨出し線を基準にアンカー５３を打ち込む位置を予め墨出ししておいて、タイルユニット１を載せる前に、予めアンカー５３とファスナー金具５５並びに足場繋ぎアーム５７を取り付けることも可能である。この場合には、各種調整のためには仮固定された第２の突条２１と二次ブラケット３１とは、一旦取り外される工程が不要となるため、調整がとれた時点で締結用ボルト２５を締め増して完全締結を図ることができる。
【００５５】
尚、タイルユニット１には、下地金物２９に取り付ける前に、タイルユニット１の連結されて行く側の縦框６例えば横連結方向が右から左へと展開される本実施形態の場合には左縦框に目地隠しカバー１７が予めビス留めなどで取り付けられている。また、タイルユニット１の上框４の上辺４ａの両端あるいはいずれか一端には、タイル剥落防止ブロック１５が取り付けられる。タイル剥落防止ブロック１５は全てのタイルユニット１の角あるいは縁に掛かるように配置されることが望まれるが、全てのタイルユニット１の骨組み３に取り付けて支持する必要はない。
【００５６】
以上の作業を繰り返し、タイルユニット１を下から上へ、更には横方向へ順次設置する。そして、一番上の段までタイルユニット１が設置されると、横の列例えば壁に向かって左横に次のタイルユニット１の列を貼り付ける。これを繰り返しながら横方向に連結を展開して行く。このとき、先に壁に取り付けられたタイルユニット１の左の縦框６に予めビス留めなどで固定されている縦目地カバー１７の先端が、固定しようとするタイルユニット１の右の縦框６に重なるように配置される。これにより、隣り合うタイルユニット１の間の目地１６には縦目地カバー１７が配置されることとなるので、左右のタイルユニット１の間の目地１６から奥の壁面が見えないように隠される。しかも、タイルユニット１の大部分が拘束されることなく吊り下げられて壁面を構成することができる。
【００５７】
タイルユニット１の壁２８への取付が全て完了した後は、足場解体に伴って、足場が切り離された足場繋ぎアーム５７は、建物躯体の壁２８側へ旋回させて目地１６の奥に隠される。
【００５８】
以上のようにして施工されたタイル外装は、骨組み３の上框４の部分が下地金物２９（二次ブラケット３１及び一次ブラケット３０）を介して建物躯体の壁２８に固定されることにより、下地金物２９に吊り下げられる取付構造となる。つまり、タイルユニット１は上框４の第２の突条２１のみが二次ブラケット３１のＣ形チャンネル部分３７に締結され、２カ所の不陸調整用ボルト１９を介して二次ブラケット３１の底部プレート３３並びに一次ブラケット３０に載置されている。他方、骨組み３の下框５の部分は、１段下の他のタイルユニット１の上框４の第１の突条２０あるいは最下段のタイルユニット１においては一次ブラケット３０に固定された係止プレート３９に係合凹部２２が係合されることによって、一定振幅を超えて出入り方向に揺動するときにのみその動きが制止されるように保持される。つまり、下框５の揺動が下段の他のタイルユニット１の上框４の第１の突条２０あるいは係止プレート３９によって一定範囲内で収められて増幅されないように抑制される。また、左右のタイルユニット１の間は相互に連結されず、下地金物２９を介して上框４の部分だけで建物躯体の壁２８に固定されている。  
【００５９】
したがって、タイルユニット１は、地震発生時や暴風などに晒される時に建物躯体の壁２８にかかる応力や変形などに対してフリーとなる。しかも、重心が支点（不陸調整用ボルト１９と二次ブラケット３１との設置点）よりも下にあるため、落下し難く安定的に支持される。このため、タイル２が破損して脱落することもない。また、例えば地震時の強い横揺れが働いたときにも、タイルユニット１が揺動せずに建物躯体と共に全体的に左右に水平移動する。そして、タイルユニット１が全体的に左右にスライドするので、タイル同士の衝突もなければ、タイルに過大な歪みや応力や剪断力が作用することが少ないので、タイルが落下したり、損壊して落下することが少ない。また、目地１６の間隔が変動せず、一定に保たれるため、必要に応じて目地１６を細くすることができる。例えば、１０数ｍｍあるいは１０ｍｍ程度にすることで、タイルの並びがスマートですっきりしたものにできる。しかも、目地１６は、奥の方に配置される縦目地カバー１７及び第１の突条２０によって遮蔽されるため、奥深く立体感のある印象を与え、タイル外装の美観を一層引き立てる。
【００６０】
なお、上述の形態は本発明の好適な形態の一例ではあるがこれに限定されるものではなく本発明の要旨を逸脱しない範囲において種々変形実施可能である。
【符号の説明】
【００６１】
１  タイルユニット
２  タイル（超大判タイル）
３  骨組み
４  上框
５  下框
６  縦框
９  タイル接着面
１０  弾性接着剤
１５  タイル剥落防止ブロック
１６  目地
１７  縦目地カバー
１８  支持プレート
１９  不陸調整用ボルト
２０  第１の突条
２１  第２の突条
２２  係止用凹部
【図１】
2018009414.tif 000003
【図２】
2018009414.tif 000004
【図３】
2018009414.tif 000005
【図４】
2018009414.tif 000006
【図５】
2018009414.tif 000007
【図６】
2018009414.tif 000008
【図７】
2018009414.tif 000009
【図８】
2018009414.tif 000010
【図９】
2018009414.tif 000011
【図１０】
2018009414.tif 000012
【図１１】
2018009414.tif 000013
【図１２】
2018009414.tif 000014